(57)【要約】【課題】順番待ちの際の行動の自由度を高めることができる待機通知システムを提供すること。【解決手段】この待機通知システム１０は、ユーザが順次登録されている待機リスト情報に基づいて、所定の処理が行われていない未処理のユーザを特定する未処理ユーザ特定部１０１と、待機リスト情報に基づいて、未処理のユーザに所定の処理が行われる順番を算出する処理順算出部１０４と、その特定されたユーザが使用する携帯電話機２０に、その算出した順番を通知情報として送信する情報送信部１０５とを含む。【選択図】　図１
2004086252.tif 000002
【特許請求の範囲】
【請求項１】
コンピュータを、
ユーザが順次登録されている待機リスト情報に基づいて、所定の処理が行われていない未処理のユーザを特定する未処理ユーザ特定手段と、
前記待機リスト情報に基づいて、前記未処理のユーザに前記所定の処理が行われる順番を算出する処理順算出手段と、
その特定されたユーザが使用する通信端末に、その算出した順番を通知情報として送信する情報送信手段と、
として機能させるための待機通知プログラム。
【請求項２】
コンピュータを、
前記待機リスト情報に基づいて、前記未処理のユーザに前記所定の処理が行われる予定の時刻を算出する処理時刻算出手段として更に機能させ、
前記情報送信手段は、その算出した時刻を前記通知情報に含めて送信する請求項１に記載の待機通知プログラム。
【請求項３】
前記情報送信手段は、所定の時刻に前記通知情報を送信する請求項１又は２に記載の待機通知プログラム。
【請求項４】
前記情報送信手段は、前記処理順算出手段が算出する順番が更新された場合に前記通知情報を送信する請求項１又は２に記載の待機通知プログラム。
【請求項５】
コンピュータを、
前記通信端末の位置を特定する位置情報を取得するユーザ位置取得手段と、
前記待機リスト情報に基づいて、前記ユーザに対応する目的地の位置を特定する位置情報を取得する目的地位置取得手段と、
前記通信端末の位置情報と、前記目的地の位置情報とに基づいて、前記通信端末の位置から前記目的地の位置に至るまでの経路に関連する経路関連情報を生成する関連情報生成手段として更に機能させ、
前記情報送信手段は、その生成した経路関連情報を前記通知情報に含めて送信する請求項１から４のいずれか１項に記載の待機通知プログラム。
【請求項６】
前記経路関連情報には、前記通信端末の位置から前記目的地の位置に至るまでの所要時間を特定する所要時間情報が含まれており、
前記所定の時刻は、前記処理時刻算出手段が算出する時刻及び前記所要時間情報に基づいて定められる請求項５に記載の待機通知プログラム。
【請求項７】
前記情報送信手段は、前記ユーザが前記通知情報を受信した後に取る行動の候補を前記通知情報に含めて送信する請求項１から６のいずれか１項に記載の待機通知プログラム。
【請求項８】
コンピュータに、請求項１から７のいずれか１項に記載の待機通知プログラムを読み込むことによって実現される待機通知システム。
【発明の詳細な説明】
【０００１】
【発明の属する技術分野】
本発明は、待機通知プログラム、及び、待機通知システムに関するものである。
【０００２】
【従来の技術】
レストランで、ランチタイムならびにディナータイムになると店内がお客様で溢れ席に着けずに待たされる場合がある。この場合、店側では空席ができるまでお客様に待って頂くこととなる。お客様に待って頂く場合には、呼出順位を明確にする為に「待ちリスト」に名前や利用人数といった必要事項を記載する方式が採られる場合が多い。
【０００３】
【発明が解決しようとする課題】
この「待ちリスト」に必要事項を記載したお客様は、自分が呼び出されるのを待つために、呼出の声が聞こえる範囲（例えばレストランの入り口付近）で待たなければならない。このように一定時間行動範囲が制限されるということは、顧客満足度の向上には繋がらず、営業上の不利益になる可能性がある。また、お客様の立場からも、行動範囲を制限されなければ他の用事を済ませるといったこともできる場合がある。これらの事態は、レストランに限られず、病院、車の整備のようにお客様が順番待ちをする場面において発生するものである。
【０００４】
そこで本発明では、順番待ちの際の行動の自由度を高めることができる待機通知プログラム、及び、待機通知システムを提供することを課題とする。
【０００５】
【課題を解決するための手段】
本発明の待機通知プログラムは、コンピュータを、ユーザが順次登録されている待機リスト情報に基づいて、所定の処理が行われていない未処理のユーザを特定する未処理ユーザ特定手段と、待機リスト情報に基づいて、未処理のユーザに所定の処理が行われる順番を算出する処理順算出手段と、その特定されたユーザが使用する通信端末に、その算出した順番を通知情報として送信する情報送信手段と、として機能させる。
【０００６】
コンピュータを用いて本発明の待機通知プログラムを実行すると、所定の処理が行われていない未処理のユーザが使用する通信端末に、その所定の処理が行われる順番を算出して通知するので、そのユーザは自分に対して所定の処理が行われる目安を取得できる。
【０００７】
また本発明の待機通知プログラムは、コンピュータを、待機リスト情報に基づいて、未処理のユーザに所定の処理が行われる予定の時刻を算出する処理時刻算出手段として更に機能させると共に、情報送信手段は、その算出した時刻を通知情報に含めて送信することが好ましい。所定の処理が行われていない未処理のユーザが使用する端末に、その所定の処理が行われる予定の時刻を算出して通知するので、そのユーザは自分に対して所定の処理が行われる時間的な目安を取得できる。
【０００８】
また本発明の待機通知プログラムにおいては、情報送信手段が、所定の時刻に通知情報を送信することが好ましい。未処理のユーザがより確実に、自分に対して所定の処理が行われる目安を取得できる。
【０００９】
また本発明の待機通知プログラムにおいては、情報送信手段が、処理順算出手段が算出する順番が更新された場合に通知情報を送信することが好ましい。未処理のユーザがより確実に、自分に対して所定の処理が行われる目安を取得できる。
【００１０】
また本発明の待機通知プログラムは、コンピュータを、通信端末の位置を特定する位置情報を取得するユーザ位置取得手段と、待機リスト情報に基づいて、ユーザに対応する目的地の位置を特定する位置情報を取得する目的地位置取得手段と、通信端末の位置情報と、目的地の位置情報とに基づいて、通信端末の位置から目的地の位置に至るまでの経路に関連する経路関連情報を生成する関連情報生成手段として更に機能させ、情報送信手段は、その生成した経路関連情報を通知情報に含めて送信することが好ましい。経路関連情報として、ユーザの現在位置からの所要時間や経路といった情報を送信できるので、ユーザが目的地へ向かうタイミングを的確に把握できる。
【００１１】
また本発明の待機通知プログラムにおいては、経路関連情報には、通信端末の位置から目的地の位置に至るまでの所要時間を特定する所要時間情報が含まれており、所定の時刻は、処理時刻算出手段が算出する時刻及び所要時間情報に基づいて定められることが好ましい。例えば、自分に対して所定の処理が行われるのにあと１５分の場合に、目的地への所要時間が１５分であれば、そのタイミングで目的地へ向かうことが望ましいことを把握できる。
【００１２】
また本発明の待機通知プログラムにおいては、情報送信手段が、ユーザが通知情報を受信した後に取る行動の候補を通知情報に含めて送信することが好ましい。ユーザが通知情報を受信した後に取る行動の候補をユーザに送信すれば、ユーザは容易にその後の行動の指針を取得できる。また、例えばその行動の候補から一の候補を選択して返送すれば、送信側でユーザの行動を把握できる。
【００１３】
本発明の待機通知システムは、上述のいずれかの待機通知プログラムをコンピュータに実行させることによって実現される。本発明の待機通知システムでは、所定の処理が行われていない未処理のユーザが使用する端末に、その所定の処理が行われる順番を算出して通知するので、そのユーザは自分に対して所定の処理が行われる目安を取得できる。
【００１４】
【発明の実施の形態】
本発明の知見は、例示のみのために示された添付図面を参照して以下の詳細な記述を考慮することによって容易に理解することができる。引き続いて、添付図面を参照しながら本発明の実施の形態を説明する。可能な場合には、同一の部分には同一の符号を付して、重複する説明を省略する。
【００１５】
本発明の実施形態である待機通知システムについて説明する。図１は、待機通知システム１０の構成を示す図である。待機通知システム１０と携帯電話機（通信端末）２０及び店舗端末３０とはネットワーク４０を介して情報の送受信が可能なように構成されている。
【００１６】
携帯電話機２０は、ユーザが利用するデータ通信機能を併せ持った携帯電話機である。携帯電話機２０は更に、ＧＰＳ（Ｇｒｏｂａｌ　Ｐｏｓｉｔｉｏｎｉｎｇ　Ｓｙｓｔｅｍ）機能を搭載しており、自機の位置を把握し、その位置情報を取得することができる。尚、携帯電話機２０は、基地局信号を用いた基地局測位によってその位置情報を取得することができるようにしてもよい。携帯電話機２０は、店舗端末３０とも情報の送受信が可能なように構成されている。
【００１７】
携帯電話機２０を使用するユーザは、サービスを受けようとする店舗（例えばレストラン）に行き、順番待ちが発生する場合には待機通知システム１０に所定の情報（例えば、名前、連絡先、人数）を送信して登録する。この送信は、携帯電話機２０から直接送信しても、店舗に設置されている店舗端末３０を経由して行ってもよい。また、所定の情報（例えば、名前、連絡先、人数）は、ユーザによって又は店舗の従業員等によって店舗端末３０に直接入力され、待機通知システム１０に送信されるように構成されていてもよい。
【００１８】
店舗端末３０は、物理的には、ＣＰＵ（中央処理装置）、メモリ、マウスやキーボードといった入力装置、ディスプレイといった表示装置、ハードディスクといった格納装置、モデムといった通信装置などを備えたコンピュータシステム（又は、コンピュータシステムの集合体）として構成されている。店舗端末３０は更に、ＧＰＳ（Ｇｒｏｂａｌ　Ｐｏｓｉｔｉｏｎｉｎｇ　Ｓｙｓｔｅｍ）機能を搭載しており、自機の位置を把握し、その位置情報を取得することができる。店舗端末３０は、携帯電話機２０とも情報の送受信が可能なように構成されている。
【００１９】
ユーザが携帯電話機２０から直接待機通知システム１０に所定の情報（例えば、名前、連絡先、人数）を送信した場合には、待機通知システム１０からその所定の情報が店舗端末３０に送信される。この送信は、例えば店舗端末３０からの要求に応じて待機通知システム１０が行うようにしてもよい。従って店舗端末３０は、ユーザに関する情報を取得でき、誰がその店舗においてサービスを受けようとしているかを把握できる。
【００２０】
待機通知システム１０は、物理的には、ＣＰＵ（中央処理装置）、メモリ、マウスやキーボードといった入力装置、ディスプレイといった表示装置、ハードディスクといった格納装置、モデムといった通信装置などを備えたコンピュータシステム（又は、コンピュータシステムの集合体）として構成されている。
【００２１】
待機通知システム１０は、機能的な構成要素として、未処理ユーザ特定部（未処理ユーザ特定手段）１０１と、リスト情報更新部１０２と、処理時刻算出部（処理時刻算出手段）１０３と、処理順算出部（処理順算出手段）１０４と、情報送信部（情報送信手段）１０５と、ユーザ位置取得部（ユーザ位置取得手段）１０６と、目的地位置取得部（目的地位置取得手段）１０７と、関連情報生成部（関連情報生成手段）１０８と、リスト情報格納部１１０とを含む。引き続いて、各構成要素について詳細に説明する。
【００２２】
リスト情報更新部１０２は、携帯電話機２０又は店舗端末３０からの所定の情報の送信に応じて、リスト情報格納部１１０に格納されている待機リスト情報の更新を行う部分である。リスト情報格納部１１０に格納されている待機リスト情報の例を図２に示す。
【００２３】
図２の例に拠れば、リスト情報格納部１１０には各店舗に対応して「整理番号」「名前」「人数」「連絡先」「受付時刻」「処理実行時刻」「予想時刻」がそれぞれ関連付けられて格納されている。「整理番号」は、ユーザの登録順に自動的に付与される番号である。「名前」「人数」「連絡先」は、ユーザが携帯電話機２０から送信した情報を格納したものである。「受付時刻」は、待機通知システム１０が携帯電話機２０から送信された情報を受信した時刻である。「処理実行時刻」は、店舗側でユーザがサービスを受けた時刻を、店舗端末３０が送信したものである。
【００２４】
「予想時刻」は、処理時刻算出部１０３が算出した、未処理のユーザに所定の処理が行われる予定の時刻である。処理時刻算出部１０３は、待機リスト情報に基づいて、未処理のユーザに所定の処理が行われる予定の時刻を算出する部分である。図２の例に基づいてより具体的に説明すれば次のようになる。処理時刻算出部１０３は、既に処理が実行されている所定数のユーザを選択する。例えばその所定数が５であれば、「整理番号」が２番から６番のユーザを選択する。「整理番号」が２番のユーザは１２：２０に処理が実行されており、「整理番号」が６番のユーザは１２：４０に処理が実行されているので、５人のユーザを処理するのに平均４分所要していることとなる。処理時刻算出部１０３は、このような演算を行い、未処理のユーザがそれぞれ４分毎に処理されるものとみなして、直近に処理されたユーザの処理実行時刻に４分を加算していき、各ユーザに所定の処理が行われる時刻を算出する。その算出した時刻は「予想時刻」として格納される。
【００２５】
未処理ユーザ特定部１０１は、ユーザが順次登録されている待機リスト情報に基づいて、所定の処理が行われていない未処理のユーザを特定する部分である。より具体的には、リスト情報格納部１１０に格納されている待機リスト情報から、「処理実行時刻」が登録されていないユーザを抽出することで未処理のユーザを特定する。図２の例に拠れば、「整理番号」が７番から９番のユーザが未処理のユーザとなる。未処理ユーザ特定部１０１は、その特定した未処理のユーザに関する情報を処理順算出部１０４に出力する。未処理のユーザに関する情報とは、リスト情報格納部１１０に格納されている「整理番号」「名前」「人数」「連絡先」「受付時刻」「処理実行時刻」「予想時刻」を含む。
【００２６】
処理順算出部１０４は、ユーザが順次登録されている待機リスト情報に基づいて、未処理のユーザに所定の処理が行われる順番を算出する部分である。図２の例に拠れば、未処理のユーザは「整理番号」が７番から９番のユーザであるから、その順番に所定の処理が行われるものとする。従って、「整理番号」が７番のユーザは１番目に処理が行われ、「整理番号」が８番のユーザは２番目に処理が行われ、「整理番号」が９番のユーザは３番目に処理が行われることとなる。処理順算出部１０４は、その算出した順番と未処理のユーザに関する情報とを情報送信部１０５に出力する。
【００２７】
ユーザ位置取得部１０６は、携帯電話機２０の位置を特定する位置情報を取得する部分である。より具体的には、携帯電話機２０が内蔵するＧＰＳ機能によって測位された位置情報をユーザ位置取得部１０６が受信し、その位置情報と携帯電話機２０のユーザを特定する情報（例えば、名前、連絡先）と共に、目的地位置取得部１０７及び関連情報生成部１０８に出力する。
【００２８】
目的地位置取得部１０７は、リスト情報格納部１１０に格納されている待機リスト情報に基づいてユーザに対応する目的地の位置を特定する位置情報を取得する部分である。より具体的には、ユーザ位置取得部１０６から出力される携帯電話機２０のユーザを特定する情報と、リスト情報格納部１１０に格納されている待機リスト情報とに基づいて、そのユーザと対応する店舗及び店舗端末を特定する。図２の例に拠れば、各ユーザに対応しているのは「店舗Ａ」の店舗端末３０である。目的地位置取得部１０７は、その店舗端末３０が内蔵するＧＰＳ機能によって測位された位置情報を取得し、関連情報生成部１０８に出力する。また、店舗端末３０がＧＰＳ機能を内蔵しないような場合には、「店舗Ａ」の位置が予め登録されているようにしてもよい。その場合には、目的位置取得部１０７は、リスト情報格納部１１０に格納されている「店舗Ａ」の位置を抽出し、関連情報生成部１０８に出力する。
【００２９】
関連情報生成部１０８は、ユーザ位置取得部１０６が取得した携帯電話機２０の位置情報と、目的地位置取得部１０７が取得した「店舗Ａ」の位置情報とに基づいて、携帯電話機２０の位置から「店舗Ａ」の位置に至るまでの経路に関連する経路関連情報を生成する部分である。ここで、経路関連情報としては、携帯電話機２０の位置から「店舗Ａ」の位置に至るまでどのような経路をたどるかといった経由ルート情報や、携帯電話機２０の位置から「店舗Ａ」の位置に至るまでの時間を概算する所要時間情報といった情報が含まれる。
【００３０】
情報送信部１０５は、未処理のユーザとして特定されたユーザが使用する携帯電話機２０に、処理順算出部１０４が算出した順番を通知情報として送信する部分である。また、通知情報としては、処理時刻算出部１０３が算出しリスト情報格納部１１０に格納した「予想時刻」を含めてもよい。更に、通知情報として、関連情報生成部１０８が生成した経路関連情報を含めてもよい。更に、通知情報として、ユーザが当該通知情報を受信した後に取る行動の候補を含めてもよい。その候補としては、「予約を取り消す」「すぐに戻る」「順番を飛ばす」といった文字情報がある。
【００３１】
情報送信部１０５は、所定の時刻に通知情報を携帯電話機２０に送信する。ここで所定の時刻とは、予め定められた所定の時間間隔（例えば１５分）で定められる時刻（例えば１１時００分、１１時１５分といった時刻）であってもよい。また、処理予定時刻としての「予想時刻」（例えば１２時５２分）まで所定の時間（例えばあと１５分）で特定される時刻（例えば１２時３７分）であってもよい。更に、「予想時刻」と関連情報生成部１０８が生成した目的地までの所要時間情報とに基づいて所定の時刻を特定してもよい。例えば、「予想時刻」まであと１５分であって所要時間も１５分である場合に、その状態（すなわち、ユーザが現在位置から出発するとちょうど「予想時刻」に目的地に到着するタイミング）になる時刻を所定の時刻として特定してもよい。所定の時刻とは、その他適宜定められるロジックによって特定される時刻である。また、情報送信部１０５は、処理順算出部１０４が算出する順番が更新された場合に通知情報を送信するようにしてもよい。
【００３２】
引き続いて、待機通知システム１０を用いて携帯電話機２０に通知情報を送信する手順を、図３に示すシーケンス図を用いて説明する。携帯電話機２０を使用するユーザは、待機通知システム１０に対して待ち登録を行う（Ｓ０１）。また、店舗端末３０からは適宜処理登録が行われる（Ｓ０２）。リスト情報更新部１０２は、携帯電話機２０又は店舗端末３０から送信される情報に基づいてリスト情報格納部１１０に格納されている待機リスト情報を更新する（Ｓ０３）。
【００３３】
処理時刻算出部１０３は、待機リスト情報に基づいて、未処理のユーザに所定の処理が行われる予定の時刻を算出する（Ｓ０４）。未処理ユーザ特定部１０１は、ユーザが順次登録されている待機リスト情報に基づいて、所定の処理が行われていない未処理のユーザを特定する（Ｓ０５）。
【００３４】
処理順算出部１０４は、ユーザが順次登録されている待機リスト情報に基づいて、未処理のユーザに所定の処理が行われる順番を算出する（Ｓ０６）。情報送信部１０５は、処理順算出部１０４が算出した順番を携帯電話機２０に送信する（Ｓ０７）。
【００３５】
ユーザ位置取得部１０６は、携帯電話機２０が内蔵するＧＰＳ機能によって測位された位置情報を受信する（Ｓ０８）。目的地位置取得部１０７は、ユーザ位置取得部１０６から出力される携帯電話機２０のユーザを特定する情報と、リスト情報格納部１１０に格納されている待機リスト情報とに基づいて、そのユーザと対応する店舗及び店舗端末を特定する（Ｓ０９）。
【００３６】
関連情報生成部１０８は、ユーザ位置取得部１０６が取得した携帯電話機２０の位置情報と、目的地位置取得部１０７が取得した「店舗Ａ」の位置情報とに基づいて、携帯電話機２０の位置から「店舗Ａ」の位置に至るまでの経路に関連する経路関連情報を生成する（Ｓ１０）。情報送信部１０５は、その経路関連情報を携帯電話機２０に送信する（Ｓ１１）。
【００３７】
次にコンピュータを、本実施形態の待機通知システム１０として機能させるための待機通知プログラム９２及びそれが記録されているコンピュータ読取可能な記録媒体９について説明する。図４は、待機通知プログラム９２が記録されている記録媒体９の構成を示した図である。記録媒体９としては、例えば、磁気ディスク、光ディスク、ＣＤ−ＲＯＭ、コンピュータに内蔵されたメモリなどが該当する。
【００３８】
記録媒体９は、図４に示すように、プログラムを記録するプログラム領域９１と、データを記録するデータ領域９３とを備えている。データ領域９３には、図１を用いて説明したリスト情報格納部１１０と同様のリスト情報データベース９３１が格納されている。
【００３９】
プログラム領域９１には、待機通知プログラム９２が記録されている。待機通知プログラム９２は、処理を統括するメインモジュール９２１と、未処理ユーザ特定モジュール９２２と、リスト情報更新モジュール９２３と、処理時刻算出モジュール９２４と、処理順算出モジュール９２５と、情報送信モジュール９２６と、ユーザ位置取得モジュール９２７と、目的地位置取得モジュール９２８と、関連情報生成モジュール９２９とを備える。ここで、未処理ユーザ特定モジュール９２２、リスト情報更新モジュール９２３、処理時刻算出モジュール９２４、処理順算出モジュール９２５、情報送信モジュール９２６、ユーザ位置取得モジュール９２７、目的地位置取得モジュール９２８、関連情報生成モジュール９２９のそれぞれを動作させることによって実現する機能は、上記待機通知システム１０の未処理ユーザ特定部１０１、リスト情報更新部１０２、処理時刻算出部１０３、処理順算出部１０４、情報送信部１０５、ユーザ位置取得部１０６、目的地位置取得部１０７、関連情報生成部１０８、のそれぞれの機能と同様である。
【００４０】
本実施形態においては、所定の処理が行われていない未処理のユーザが使用する携帯電話機２０に、その所定の処理が行われる順番を算出して通知するので、そのユーザは自分に対して所定の処理が行われる目安を取得できる。
【００４１】
また、所定の処理が行われていない未処理のユーザが使用する携帯電話機２０に、その所定の処理が行われる予定の時刻を算出して通知するので、そのユーザは自分に対して所定の処理が行われる時間的な目安を取得できる。情報送信部１０５が、所定の時刻に通知情報を送信すれば、未処理のユーザがより確実に、自分に対して所定の処理が行われる目安を取得できる。情報送信部１０５が、処理順算出部１０４が算出する順番が更新された場合に通知情報を送信すれば、未処理のユーザがより確実に、自分に対して所定の処理が行われる目安を取得できる。
【００４２】
また、経路関連情報として、ユーザの現在位置からの所要時間や経路といった情報を送信できるので、ユーザが目的地へ向かうタイミングを的確に把握できる。経路関連情報には、携帯電話機２０の位置から目的地の位置に至るまでの所要時間を特定する所要時間情報が含まれており、所定の時刻は、処理時刻算出部１０３が算出する時刻及び所要時間情報に基づいて定められれば、例えば、自分に対して所定の処理が行われるのにあと１５分の場合に、目的地への所要時間が１５分であれば、そのタイミングで目的地へ向かうことが望ましいことを把握できる。
【００４３】
情報送信部１０５が、ユーザが通知情報を受信した後に取る行動の候補をユーザに送信すれば、ユーザは容易にその後の行動の指針を取得できる。また、例えばその行動の候補から一の候補を選択して返送すれば、送信側でユーザの行動を把握できる。
【００４４】
【発明の効果】
本発明によれば、所定の処理が行われていない未処理のユーザが使用する端末に、その所定の処理が行われる順番を算出して通知するので、そのユーザは自分に対して所定の処理が行われる目安を取得できる。従って本発明の目的とする、順番待ちの際の行動の自由度を高めることができる待機通知プログラム、及び、待機通知システムを提供することができた。
【図面の簡単な説明】
【図１】本発明の実施形態である待機通知システムの構成を示した図である。
【図２】図１のリスト情報格納部に格納されている情報の例を示した図である。
【図３】本発明の実施形態である待機通知システムを用いて通知情報を送信する手順を示したシーケンス図である。
【図４】本発明の実施形態である待機通知プログラムの構成を示した図である。
【符号の説明】
１０…待機通知システム、２０…携帯電話機、３０…店舗端末、４０…ネットワーク、１０１…未処理ユーザ特定部、１０２…リスト情報更新部、１０３…処理時刻算出部、１０４…処理順算出部、１０５…情報送信部、１０６…ユーザ位置取得部、１０７…目的地位置取得部、１０８…関連情報生成部、１１０…リスト情報格納部。
【図１】
2004086252.tif 000003
【図２】
2004086252.tif 000004
【図３】
2004086252.tif 000005
【図４】
2004086252.tif 000006